(57)【要約】【課題】電池カバーやメモリカードカバーの開きを防止する。【解決手段】メモリカードを出し入れするメモリカード収容開口部と、該メモリカード収容開口部を開閉するメモリカードカバーとを筐体の外面に設けた撮像装置であって、メモリカードカバーの開閉端近傍には、筐体の側面に係止されるメモリカード用係止凸部が設けられ、筐体の外面には、メモリカードカバー用係止凸部に係止されるメモリカードカバー用係止凹部が設けられ、メモリカード用係止凸部は、メモリカードカバーの開閉方向に対して略垂直な方向に突出することにより開きを規制する。【選択図】図２１
2008271566.tif 000002
【特許請求の範囲】
【請求項１】
メモリカードを出し入れするメモリカード収容開口部と、該メモリカード収容開口部を開閉するメモリカードカバーとを筐体の外面に設けた撮像装置であって、
前記メモリカードカバーの開閉端近傍には、前記筐体の側面に係止されるメモリカード用係止凸部が設けられ、
前記筐体の外面には、前記メモリカードカバー用係止凸部に係止されるメモリカードカバー用係止凹部が設けられ、
前記メモリカード用係止凸部は、前記メモリカードカバーの開閉方向に対して略垂直な方向に突出することにより開きを規制する撮像装置。
【請求項２】
前記メモリカード収容開口部は、前記筐体の側面に設けられ、
前記メモリカードカバーは、前記筐体の背面から側面にかけて覆うように断面略Ｌ字状に形成されるとともに、前記筐体の背面にヒンジを有し、該ヒンジを軸にして前記筐体の略前後方向に開閉する請求項１に記載の撮像装置。
【発明の詳細な説明】
【技術分野】
【０００１】
本発明は、撮像装置に関し、特に電池の出し入れが可能な撮像装置に関する。
【背景技術】
【０００２】
従来、撮像装置において、内部に電池やストロボ用コンデンサ等を収納したものがある。デジタルカメラにおいては、電池のほかメモリカードも収納され、これらは外部から出し入れができる。
【発明の開示】
【発明が解決しようとする課題】
【０００３】
しかし、上記の従来技術においては、筐体内部で電池やコンデンサを別々の機構で保持していたので部品点数がかさんでいた。また、電池やメモリカードの出し入れ口には開閉式のカバーが必要だが、電池やメモリカードの出し入れ以外のときには勝手に開きにくいのが望ましい。さらに、カメラに様々な機能を加えることに応じて、部品点数および製造工程が増加するという問題があった。近年、コンパクトカメラ等においては、部品点数を減らしたり製造工程を簡素化することにより、製造コストを下げることも大きな課題となっている。
【０００４】
そこで本発明は、上記の課題を解決することのできる撮像装置を提供することを目的とする。この目的は特許請求の範囲における独立項に記載の特徴の組み合わせにより達成される。また従属項は本発明のさらなる有利な具体例を規定する。
【課題を解決するための手段】
【０００５】
上記課題を解決するために、本発明の第１の形態は、筐体の内部に電池およびストロボ用コンデンサを収納した撮像装置であって、前記電池を保持する電池ホルダと、前記ストロボ用コンデンサを保持するコンデンサホルダとを一体の部材で形成した電池収容部を前記筐体の内部に設けてある。
【０００６】
前記筐体の内部には、金属部材からなる放熱可能なフレームが設けられ、前記電池収容部には、放熱孔が設けられ、前記フレームが前記電池収容部の裏側から前記放熱孔に当接してもよい。前記電池収容部は、複数の前記電池と、前記ストロボ用コンデンサとを平行に並べて保持可能であり、前記放熱孔は、前記電池ホルダにおいて、前記複数の電池を並べた方向の略中央に設けられてもよい。
【０００７】
また、第２の形態は、前面側筐体と背面側筐体とが合わさって筐体を形成する撮像装置であって、前記筐体の外面には、外部から電池を出し入れする電池収容開口部が設けられ、前記電池収容開口部を遮蔽する電池カバーを、前記前面側筐体および前記背面側筐体のいずれか一方が単独で保持可能である。
【０００８】
前記電池カバーの開閉端近傍には、前記筐体に係止する電池カバー用係止凸部が設けられ、前記筐体には、前記電池カバー用係止凸部に係止される電池カバー用係止凹部が設けられ、前記電池カバー用係止凸部は、前記電池カバーの開閉方向に対して略垂直な方向に突出することにより開きを規制してもよい。
【０００９】
また、第３の形態は、メモリカードを出し入れするメモリカード収容開口部と、該メモリカード収容開口部を開閉するメモリカードカバーとを筐体の外面に設けた撮像装置であって、前記メモリカードカバーの開閉端近傍には、前記筐体の側面に係止されるメモリカード用係止凸部が設けられ、前記筐体の外面には、前記メモリカードカバー用係止凸部に係止されるメモリカードカバー用係止凹部が設けられ、前記メモリカード用係止凸部は、前記メモリカードカバーの開閉方向に対して略垂直な方向に突出することにより開きを規制してもよい。
【００１０】
前記メモリカード収容開口部は、前記筐体の側面に設けられ、前記メモリカードカバーは、前記筐体の背面から側面にかけて覆うように断面略Ｌ字状に形成されるとともに、前記筐体の背面にヒンジを有し、該ヒンジを軸にして前記筐体の略前後方向に開閉してもよい。
【００１１】
また、第４の形態は、画像の撮影動作を処理する撮像回路ユニットと、該撮像回路ユニットに電力提供する電源回路ユニットと、電池を保持する電池収容部とを備えた撮像装置の組み立て方法であって、前記撮像回路ユニットと前記電源回路ユニットと前記電池収容部とを重ね合わせて互いに係合させることにより、予め一体の内部ユニットを形成させ、前記内部ユニットを筐体へ収める。
【００１２】
なお上記の発明の概要は、本発明の必要な特徴の全てを列挙したものではなく、これらの特徴群のサブコンビネーションもまた発明となりうる。
【発明を実施するための最良の形態】
【００１３】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１４】
本実施形態の撮像装置は、デジタルカメラである。
図１は、デジタルカメラ１０の構成を示す。デジタルカメラ１０は、主に撮像ユニット２０、撮像制御ユニット４０、処理ユニット６０、表示ユニット１００、および操作ユニット１１０を含む。
【００１５】
撮像ユニット２０は、撮影および結像に関する機構部材および電気部材を含む。撮像ユニット２０はまず、映像を取り込んで処理を施す撮影レンズ２２、絞り２４、シャッタ２６、光学ＬＰＦ（ローパスフィルタ）２８、ＣＣＤ３０、および撮像信号処理部３２を含む。撮影レンズ２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００１６】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００１７】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００１８】
撮像ユニット２０はさらに、ファインダ３４とストロボ３６を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。
【００１９】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４をもつ。ズーム駆動部４２等の駆動部は、それぞれステッピングモータ等の駆動手段を有する。後述のレリーズスイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、ユーザから指示されたズーム倍率等の撮影情報に基づき、ズーム駆動部４２とフォーカス駆動部４４を制御して撮影レンズ２２のズーム倍率とピントの調整を行う。
【００２０】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００２１】
撮像系ＣＰＵ５０はまた、測光データに基づいてストロボ３６の発光を制御し、同時に絞り２４の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００２２】
処理ユニット６０は、デジタルカメラ１０全体、特に処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信等により、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２３】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００２４】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリ等で構成され、ユーザによる設定情報や出荷時の調整値等、デジタルカメラ１０の電源がオフの間も保持すべきデータが格納されている。不揮発性メモリ６６には、場合によりメインＣＰＵ６２のブートプログラムやシステムプログラム等が格納されてもよい。一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００２５】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００２６】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００２７】
オプション装置制御部７４は、オプション装置７６に認められる信号仕様およびメインバス８２のバス仕様にしたがい、メインバス８２とオプション装置７６の間で必要な信号の生成、論理変換、または電圧変換等を行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩ等で構成してもよい。
【００２８】
通信Ｉ／Ｆ部８０は、デジタルカメラ１０がサポートする通信仕様、たとえばＵＳＢ、ＲＳ−２３２Ｃ、イーサネット等の仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ等の外部機器との間で独自のＩ／Ｆによるデータ授受を行う構成としてもよい。
【００２９】
表示ユニット１００は、ＬＣＤモニタ１０２とＬＣＤパネル１０４を有する。それらはＬＣＤドライバであるモニタドライバ１０６、パネルドライバ１０８によってそれぞれ制御される。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像等を表示する。ＬＣＤパネル１０４は例えば小さな白黒ＬＣＤでカメラ上面に設けられ、画質（ＦＩＮＥ／ＮＯＲＭＡＬ／ＢＡＳＩＣ等）、ストロボ発光／発光禁止、標準撮影可能枚数、画素数、電池容量等の情報を簡易的に表示する。
【００３０】
操作ユニット１１０は、ユーザがデジタルカメラ１０の動作やそのモード等を設定または指示するために必要な機構および電気部材を含む。パワースイッチ１１２は、デジタルカメラ１０の電源のオンオフを決める。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。操作ユニット１１０はこれらのスイッチの他、回転式のモードダイヤルや十字キー等による設定を受け付けてもよく、それらは図１において機能設定部１１６と総称されている。操作ユニット１１０で指定できる動作または機能の例として、「ファイルフォーマット」、「特殊効果」、「印画」、「決定／保存」、「表示切換」等がある。ズームスイッチ１１８は、ズーム倍率を決める。
【００３１】
以上の構成による主な動作は以下の通りである。
まずデジタルカメラ１０のパワースイッチ１１２がオンされ、カメラ各部に電力が供給される。メインＣＰＵ６２は、機能設定部１１６の状態を読み込むことで、デジタルカメラ１０が撮影モードにあるか再生モードにあるかを判断する。
【００３２】
カメラが撮影モードにあるとき、メインＣＰＵ６２はレリーズスイッチ１１４の半押し状態を監視する。半押し状態が検出されたとき、メインＣＰＵ６２は測光センサ５４および測距センサ５２からそれぞれ測光データと測距データを得る。得られたデータに基づいて撮像制御ユニット４０が動作し、撮影レンズ２２のピント、絞り等の調整が行われる。調整が完了すると、ＬＣＤモニタ１０２に「スタンバイ」等の文字を表示してユーザにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。記録された画像は、フリーズされた状態でしばらくＬＣＤモニタ１０２に表示され、ユーザは撮影画像を知ることができる。以上で一連の撮影動作が完了する。
【００３３】
一方、デジタルカメラ１０が再生モードの場合、メインＣＰＵ６２は、メモリ制御部６４を介してメインメモリ６８から最後に撮影した画像を読み出し、これを表示ユニット１００のＬＣＤモニタ１０２へ表示する。
【００３４】
この状態でユーザが機能設定部１１６にて「順送り」、「逆送り」を指示すると、現在表示している画像の前後に撮影された画像が読み出され、ＬＣＤモニタ１０２へ表示される。
【００３５】
図２は、レンズカバー２０２の開閉動作を示すデジタルカメラ１０の正面図である。デジタルカメラ１０の筐体の前面側部分である前面側筐体２００には、レンズカバー２０２がスライド自在に設けられている。（ａ）は、レンズカバー２０２が閉じた状態を示す。（ｂ）は、レンズカバー２０２が開いた状態を示す。
【００３６】
（ａ）に示される通り、レンズカバー２０２は、撮影レンズ２２の前方を遮蔽する。レンズカバー２０２は、前面側筐体２００の前面に取り付けられる。レンズカバー２０２は、前面側筐体２００の前面における縦方向を全面的に覆わないので、レンズカバー２０２を閉めたときにおいてもストロボ３６やファインダ３４は露出する。前面側筐体２００の前面には、レンズカバー２０２と係合するレンズカバー係合部が設けられる。レンズカバー係合部は、（ａ）に示される上側レール溝部２０４および下側レール溝部２０６を含む。上側レール溝部２０４および下側レール溝部２０６は、レンズカバー２０２の上端部および下端部が係合する一対のスリット状のレール溝である。上側レール溝部２０４および下側レール溝部２０６は、レンズカバー２０２のスライド方向にのびている。上側レール溝部２０４および下側レール溝部２０６から覗かれる内部は、後述する前面側内枠部により遮蔽された袋構造となっている。
【００３７】
このように、レンズカバー２０２は、前面側筐体２００の前面における縦方向を全面的に覆わない。したがって、前面側筐体２００の前面における縦方向を全面的に覆っていた従来のレンズカバーと比べて、部材の量を少なくして部品コストを低減させることができる。
【００３８】
また、スリット状に形成された上側レール溝部２０４および下側レール溝部２０６から覗かれる内部は、前面側内枠部により遮蔽された袋構造となっている。したがって、スリットを通じて内部の配線等が外部から見えることもなく、見栄えを良好に保つことができる。
【００３９】
レンズカバー２０２の表面には、レンズカバー突起部２０８が形成されている。ユーザはレンズカバー突起部２０８をレンズカバー２０２のスライド方向に押圧することにより、レンズカバー２０２を開閉することができる。ユーザがシャッターボタン４００を押下すると、レリーズスイッチ１１４がオンになる。
【００４０】
（ｂ）において、レンズカバー２０２は撮影レンズ２２の前方を開放する。レンズカバー２０２が撮影レンズ２２の前方を開放すると、鏡筒が前方へ自動的に繰り出して撮影可能状態になる。
【００４１】
図３は、撮影時のユーザの指の位置を示すデジタルカメラ１０の正面図である。ユーザは撮影時に右手の中指で筐体前面を押さえて筐体を支える場合が多い。特に、片手（右手）でカメラを持ちながら人さし指でシャッターボタン４００を押下したい場合には、図に示す部位に自然と中指が位置することが多い。レンズカバーが開かれた状態におけるレンズカバー突起部２０８は、ユーザが中指でカメラを支えながら人さし指でシャッタボタンを押下するときの中指の近傍に位置するように形成されている。またレンズカバー突起部２０８は、屈曲した中指に沿った略横Ｖ字状の端面を有する。ユーザは、略横Ｖ字状端面の上に指をのせることができる。
【００４２】
これにより、ユーザは安定感よくカメラを中指で支えながら人さし指でシャッターボタン４００を押下できるので、撮影時の手ぶれを低減させることができる。また、レンズカバー２０２をスライドさせるために設けたレンズカバー突起部２０８が、撮影時においてユーザによる操作の邪魔にならない。
【００４３】
図４は、レンズカバー２０２を開閉するユーザの指の動きを示すデジタルカメラ１０の外観図である。（ａ）は、ユーザがレンズカバー２０２を閉じるときの動きを示す。レンズカバー突起部２０８は、略横Ｖ字状端面と１つの斜面とからなる。ユーザは、斜面を任意の指でスライド方向に押圧してレンズカバー２０２を閉じる。（ｂ）は、ユーザがレンズカバー２０２を開くときの動きを示す。ユーザは、略横Ｖ字状端面を任意の指で押圧してレンズカバー２０２を開放する。
【００４４】
図５は、レンズカバー２０２の軌道を示す図である。（ａ）は、レンズカバー２０２が閉じられた状態を示す。（ｂ）は、レンズカバー２０２が開かれた状態を示す。図に示されるＲ１、Ｓ、Ｒ２はレンズカバー２０２が係合する筐体側の表面形状である。特許請求の範囲における第１の湾曲形状および第２の湾曲形状がそれぞれＲ１およびＲ２に相当する。本実施形態では、たとえば前面側筐体２００の内部に設ける前面側内枠部２６０に図のような表面形状を形成させて、レンズカバー２０２を係合させる。
【００４５】
Ｒ１およびＲ２はそれぞれレンズカバー２０２のスライド方向に湾曲した形状を有する。Ｓは非湾曲形状を有する。Ｒ１の曲率とＲ２の曲率は異なってもよい。Ｒ２は、Ｒ１の延長面よりも外側にせり出した位置に形成される。Ｓは、Ｒ１からＲ２へと変位する間の遷移領域となる。
【００４６】
（ａ）に示される通り、閉じられた状態のレンズカバー２０２と筐体表面レベルとの間に生じる間隙は小さい。そして、レンズカバー２０２を開くと、（ｂ）に示される通り、レンズカバー２０２の開放側端部近傍が筐体表面レベルからせり出すようにスライドする。したがって、レンズカバー２０２は、筐体表面レベルとの間に生じる間隙が大きくなるようにスライドする。
【００４７】
これにより、レンズカバー２０２をスライドするときに筐体表面に傷をつけにくくすることができる。特に、ユーザはレンズカバー２０２を開閉させるためにレンズカバー２０２を押圧することとなるので、筐体との間隙を大きくすることは傷つき防止に有効である。
【００４８】
図６は、レンズカバー２０２と前面側筐体２００との間に生じる間隙を示す図である。（ａ）は、レンズカバー２０２を閉じた状態を示す。（ｂ）は、レンズカバー２０２を開いた状態を示す。レンズカバー２０２は、撮影レンズ２２の前方を遮蔽する遮蔽位置から撮影レンズ２２の前方を開放する開放位置に移動するときに、レンズカバー２０２の開放側端部近傍が筐体表面レベルからせり出すようにスライドする。したがって、図に示される通り、レンズカバー２０２が開かれると、筐体表面レベルとの間に生じる間隙が大きくなる。
【００４９】
図７は、前面側筐体２００の内部を示す図である。レンズカバー２０２は、上側レール溝部２０４および下側レール溝部２０６に係合する。レンズカバー２０２の背面略中央には、レンズカバー２０２が開かれたときに前面側筐体２００に係合してレンズカバー２０２の外れを防止するガイド突出部２２０が設けられる。ガイド突出部２２０は、レンズカバー２０２と一体的に成型される。従来、金属部材を溶着してガイド突出部２２０に相当する部材を形成させていたが、本実施形態においてはレンズカバー２０２と一体に成型するので、部品点数を減らすことができる。
【００５０】
前面側筐体２００には、レンズ開口部２４０、上側レール溝部２０４、および下側レール溝部２０６が一体的に開けられている。レンズカバー２０２は、レンズ開口部２４０を遮蔽する位置とレンズ開口部２４０を開放する位置との間でスライドすることができる。
【００５１】
レンズカバー２０２には、その上端に上側レール用係合凸部２２６が設けられ、下端に下側レール用係合凸部２２４が設けられている。上側レール用係合凸部２２６は、上側レール溝部２０４と係合する。下側レール用係合凸部２２４は、下側レール溝部２０６と係合する。
【００５２】
ガイド突出部２２０は、レンズカバー２０２のスライド方向にのびた略長尺状の部材で形成される。ガイド突出部２２０は、レンズカバー２０２に連続する部位とレンズカバー２０２から離れた部位とを有する。図において、レンズカバー２０２の開放位置側にあるガイド突出部２２０の端部が、レンズカバー２０２から離れている。そして、レンズカバー２０２が開かれたときに、ガイド突出部２２０の開放位置側端部とレンズカバー２０２とが前面側筐体２００を挟む。前面側筐体２００には、スリット状のガイド溝部２４２が設けられる。ガイド突出部２２０は、ガイド溝部２４２に遊嵌する。
【００５３】
前面側筐体２００には、ガイド突出部２２０と係合するガイド用係合凸部２２２が下向きに設けられる。ガイド突出部２２０の上部には、ガイド用係合凸部２２２に係合されることにより、スライドするレンズカバー２０２の前後方向の動きを規制するガイド用係合凹部２２３（図示せず）が設けられる。
【００５４】
このように、レンズカバー２０２は、上側レール用係合凸部２２６、下側レール用係合凸部２２４、ガイド突出部２２０、およびガイド用係合凹部２２３が前面側筐体２００に係合することにより、レンズカバー２０２の外れを防止している。
【００５５】
図８は、ガイド突出部２２０の形状を示す図である。（ａ）と（ｂ）とで異なる角度から見たガイド突出部２２０の形状が示される。（ａ）において、図の右上の方向が、レンズカバー２０２がカメラに取り付けられたときの上方向となる。（ｂ）において、図の右下の方向が、レンズカバー２０２がカメラに取り付けられたときの上方向となる。
【００５６】
ガイド突出部２２０は、略長尺状の部材で形成される。ガイド突出部２２０は、レンズカバー２０２に連続する部位とレンズカバー２０２から離れた部位とを有する。レンズカバー２０２がカメラに取り付けられたときのガイド突出部２２０の上面、ずなわち（ｂ）におけるガイド突出部２２０の右下方向に向く面には、ガイド用係合凸部２２２と係合するガイド用係合凹部２２３が設けられる。
【００５７】
レンズカバー２０２がカメラに取り付けられたときのガイド突出部２２０の背面側の面、すなわち、（ａ）、（ｂ）におけるガイド突出部２２０の上面には、長手方向にスリット状のアーム係合溝部２３０が設けられる。アーム係合溝部には、後述するアーム２６２の一端が係合する。レンズカバー２０２の開閉時に、アーム２６２の一端は、アーム係合溝部２３０のなかに保持される。
【００５８】
図９は、ガイド突出部２２０を成型する方法の第１段階を示す図である。本実施形態においては、ガイド突出部２２０を２つの型を用いて成型する。（ａ）に示される通り、ガイド突出部２２０は、第一の型２５０と第二の型２５２とを用いて成型する。第一の型２５０は、ガイド突出部２２０の上面（図におけるガイド突出部２２０の右上方向に向く面）に設けられたガイド用係合凹部２２３と、レンズカバー２０２から離れた部位の下部を型抜きするために用いられる。第二の型２５２は、アーム係合溝部２３０等の形状を型抜きするために用いられる。第二の型２５２の型抜き方向はカメラの背面方向、すなわち図における上方向である。（ｂ）は、（ａ）に示したＢ−Ｂ'の断面を（ａ）における左上から見た図である。
【００５９】
図１０は、ガイド突出部２２０を成型する方法の第２段階を示す図である。第一の型２５０は、カメラ上方向へ型抜きしたうえで、さらにカメラ背面方向へ抜く。（ａ）における右上の方向は、レンズカバー２０２がカメラに取り付けられたときの上方向となる。（ｂ）は、（ａ）の右下からガイド突出部２２０を見た図である。第一の型２５０は、（ｂ）における右方向に型抜きされて、さらに上方向に抜かれる。
【００６０】
（ｃ）は、（ａ）における左下からガイド突出部２２０を見た図である。（ｄ）は、（ａ）に示したＢからＢ'の断面を（ａ）における左上から見た図である。（ｄ）において、第一の型２５０は、左方向に型抜きされ、さらに上方向に抜かれる。
【００６１】
図１１は、レバー２６４の動作を示す図である。前面側筐体２００の上面側内部において、前面側筐体２００の上面に設けられたシャッターボタン４００の下部にカバー開閉検知基板２６８が設けられる。カバー開閉検知基板２６８の基板上には、レンズカバー２０２の開閉を検知するカバー開閉検知スイッチ２６６が設けられる。カバー開閉検知スイッチ２６６は、カメラ下方向から押し上げるかたちのスイッチである。
【００６２】
前面側筐体２００の内部には、レンズカバー２０２の開閉動作に応じて上下するレバー２６４が設けられている。レバー２６４は、レンズカバー２０２が開いたときにカバー開閉検知スイッチ２６６を押し上げる。（ａ）は、レンズカバー２０２が約半分閉じられたときのレバー２６４の状態を示す。レバー２６４の近傍には、レンズカバー２０２の開閉動作に応じて、レンズカバー２０２との係合により上下方向の駆動力を生むアーム２６２が設けられる。レバー２６４は、前面側筐体２００の内部に収納される複数の電池の谷間に位置する。
【００６３】
アーム２６２の一端はレバー２６４と係合し、他端はガイド突出部２２０と係合する。アーム２６２は、アーム支点２６３を中心として、てこの原理で揺動し、レバー２６４側の一端を上下に動かす。レバー２６４は、アーム２６２から上下方向の駆動力を受け取って上下方向に動く。
【００６４】
（ｂ）は、レンズカバー２０２が全開にされたときのレバー２６４の状態を示す。レンズカバー２０２が全開にされると、アーム２６２が揺動してレバー２６４を上方向に動かす。これにより、レバー２６４はカバー開閉検知スイッチ２６６を押し上げる。カバー開閉検知基板２６８は、レンズカバー２０２が開放されたことを検知する。
【００６５】
図１２は、アーム２６２の動作を示す図である。アーム２６２のレバー２６４側の一端であるレバー側係合部２７２は、レバー２６４に係合する。アーム２６２のガイド突出部２２０側の一端であるガイド側係合部２７０は、ガイド突出部２２０に設けられたアーム係合溝部２３０に係合する。アーム係合溝部２３０の一端にはアーム２６２を駆動するアーム駆動部２３２が設けられる。
【００６６】
（ａ）に示されるように、レンズカバー２０２が閉じられた状態、またはレンズカバー２０２の開閉動作中には、ガイド側係合部２７０がアーム係合溝部２３０の一部に係合したままアーム２６２は上下動しない。（ｂ）に示されるように、レンズカバー２０２が全開の状態に近づくと、ガイド側係合部２７０はアーム駆動部２３２に当接する。さらにレンズカバー２０２が開かれると、ガイド側係合部２７０が下方向に移動するので、アーム２６２が揺動して上方向の駆動力が生じる。その結果、レバー側係合部２７２の位置が上方向へ移動し、レバー２６４が上方向へ押し上げられる。
【００６７】
このように、本実施形態においては、アーム２６２およびレバー２６４を用いることにより、前面側筐体２００内部の上側に設けられたカバー開閉検知基板２６８の基板上のスイッチを、レンズカバー２０２の開閉に応じて押すことができる。また、電気的な機構を用いないでスイッチを押すことができるので、消費電力を削減できる。さらに、複雑な配線も必要ないので、省スペース、取り付け容易といった有利な点もある。
【００６８】
図１３は、前面側内枠部２６０の形状を示す図である。前面側内枠部２６０は、前面側筐体２００の内部に取り付けられて、筐体の上下方向の開きを防止する。前面側内枠部２６０は、撮影レンズ２２の前方に位置するレンズ開口部２４０と、電池を保持する電池ホルダ部４１０、４１２、４１４とを有する。電池ホルダ部４１０、４１２が保持する複数の電池の谷間にレバー２６４が上下動可能に取り付けられる。
【００６９】
前面側内枠部２６０の外周には、第１〜第９の係止凸部２８０、２８２、２８４、２８６、２８８、２９０、２９２、２９４、２９６が設けられる。前面側筐体２００の内部には、第１〜第９の係止凹部２８１、２８３、２８５、２８７、２８９、２９１、２９３、２９５、２９７が設けられる。
【００７０】
第１の係止凸部２８０は第１の係止凹部２８１と係合する。第２の係止凸部２８２は第２の係止凹部２８３と係合する。第３の係止凸部２８４は第３の係止凹部２８５と係合する。第４の係止凸部２８６は第４の係止凹部２８７と係合する。第５の係止凸部２８８は第５の係止凹部２８９と係合する。第６の係止凸部２９０は第６の係止凹部２９１と係合する。第７の係止凸部２９２は第７の係止凹部２９３と係合する。第８の係止凸部２９４は第８の係止凹部２９５と係合する。第９の係止凸部２９６は第９の係止凹部２９７と係合する。
【００７１】
前面側内枠部２６０は、カメラの右から左の方向にスライドして前面側筐体２００に取り付けられる。ネジ止めの必要がないので、取り付けが容易である。
【００７２】
前面側筐体２００はレンズ開口部２４０や上側レール溝部２０４、下側レール溝部２０６等の開口を有するので、上下方向の開きを防止する必要がある。電池が収納されるデジタルカメラの場合、電極が電池から離れないようにしなければならず、特に開き防止の必要性が高い。そこで、前面側内枠部２６０を前面側筐体２００の内部に取り付ることにより筐体の歪みを低減させ、上下方向の開きを防いでいる。また、前面側内枠部２６０には電池ホルダを兼ねさせているので、部品点数が減る。
【００７３】
レバー２６４は、電池ホルダ部４１０、４１２の谷間に位置するので、スペースをとらず邪魔にならない。
【００７４】
図１４は、レンズカバー２０２と前面側筐体２００の断面図である。レンズカバー２０２が前面側筐体２００に取り付けられた状態において、上側レール用係合凸部２２６および下側レール用係合凸部２２４が前面側筐体２００に係合する。また、レンズカバー２０２に設けられたガイド突出部２２０は、前面側筐体２００に係合する。前面側筐体２００に設けられたガイド用係合凸部２２２は、ガイド突出部２２０に設けられたガイド用係合凹部２２３に係合する。ガイド突出部２２０に設けられたアーム係合溝部２３０には、アーム２６２のガイド側係合部２７０が係合する。前面側内枠部２６０は、前面側筐体２００の内部においてガイド側係合部２７０とアーム係合溝部２３０との係合状態を保持するように取り付けられる。
【００７５】
図１５は、電池収容部３９０の形状を示す図である。電池収容部３９０は、筐体内部に取り付けられる部材であり、複数の電池を保持する電池ホルダ３９１とストロボ用コンデンサを保持するコンデンサホルダ３９３とを有する一体の部材である。電池ホルダ３９１とコンデンサホルダ３９３とを一体の部材で形成させるので、部品点数を減らすことができる。
【００７６】
電池ホルダ３９１ａ〜ｄおよびコンデンサホルダ３９３は、複数の電池とストロボ用コンデンサとを平行に並べて保持する。電池収容部３９０には、複数の電池およびストロボ用コンデンサを並べた方向の略中央に放熱孔３９２が設けられる。本実施形態においては、４本の電池および１本のストロボ用コンデンサの計５本を並べて保持するので、３本目のホルダ位置に放熱孔３９２が設けられている。ただし他の形態においては、他の電池の位置に設けてもよい。
【００７７】
（ａ）は、電池収容部３９０をカメラ正面側から見た斜視図である。（ｂ）は、電池収容部３９０をカメラ背面側から見た斜視図である。（ｃ）は、電池収容部３９０が前面側筐体２００の内部との係合状態を示す斜視図である。
【００７８】
電池収容部３９０の下部には、カメラ三脚または雲台のネジが螺合するネジ孔が設けられる。電池収容部３９０の内部を金属加工してネジ孔を形成させてもよい。電池収容部３９０は、前面側筐体２００と背面側筐体３００との間から筐体外部へ突出する。
【００７９】
電池収容部３９０の上側部には、ストラップ通し３９６が設けられる。ストラップ通し３９６は、前面側筐体２００と背面側筐体３００との間から筐体外部へ突出する。ユーザは、ストラップ通し３９６にストラップを通して、携帯しやすくすることができる。
【００８０】
（ｃ）に示されるように、電池収容部３９０の上からフレーム３９８が取り付けられる。フレーム３９８は、放熱可能な金属部材からなる。フレーム３９８は、カメラ組立後に電源回路に近接し、たとえば放電時の熱を吸収する。フレーム３９８は、電池収容部３９０の裏側から放熱孔３９２に当接する。
【００８１】
このように、電池収容部３９０には放熱孔３９２が設けられているので、電池から発せられる熱を放出しやすくすることができる。また、放熱孔３９２は、複数の電池のうち中央に位置する電池近傍に設けられるので、最も熱のこもりやすい部位から放熱することができる。さらに、フレーム３９８が電池収容部３９０の裏側から放熱孔３９２を介して電池に近接するので、効率良く放熱することができる。
【００８２】
図１６は、モードダイアル３１０の外観を示す図である。本実施形態のデジタルカメラ１０は、３つの撮影に関するモードを設定可能なモードダイアル３１０を備える。モードダイアル３１０で設定可能な３つのモードは、電源ＯＦＦモード、再生モード、撮影モードである。モードダイアル３１０は、筐体の上面において略水平に設けられる。モードダイアル３１０は、３ヶ所の停止位置の間で回動して３つのモードのうちのいずれかを設定する。
【００８３】
図１７は、モードダイアル３１０の回動動作を示す図である。図は、モードダイアル３１０を下面側から見た様子である。（ａ）は、電源ＯＦＦモードを示す。（ｂ）は、再生モードを示す。（ｃ）は、撮影モードを示す。図においてモードダイアル３１０が時計回りに回動すると、電源ＯＦＦモード、再生モード、撮影モードの順にモードが切り替わる。
【００８４】
モードダイアル３１０は、その底面に略円形部材で形成される回転体を有する。この回転体において、外周の一部が切り欠かれて第１のダイアル突出部３１２が形成されている。また、回転体の外周近傍には第２のダイアル突出部３１４が垂下している。第１のダイアル突出部３１２と第２のダイアル突出部３１４とは所定の間隔をあけて形成される。
【００８５】
第１のダイアル突出部３１２は、モードダイアル３１０の回動に応じ、カメラ左から右に向かう押圧力を生む。第２のダイアル突出部３１４は、モードダイアル３１０の回動に応じて、カメラ前面側から背面側に向かう押圧力を生む。
【００８６】
図１８は、モードダイアル３１０によるスイッチング動作を示す図である。前面側筐体２００の内部には、モードダイアル３１０の停止位置によって３つのモードを検知可能な２つのスイッチを有するモードスイッチ基板３２０が、モードダイアル３１０に対して略垂直に設けられる。図は、モードダイアル３１０およびモードスイッチ基板３２０を下面側から見た様子である。（ａ）は、電源ＯＦＦモードを示す。（ｂ）は、再生モードを示す。（ｃ）は、撮影モードを示す。
【００８７】
モードスイッチ基板３２０の基板上には、電源のオンとオフとを切り替える第１のモードスイッチ３２２と、カメラの再生モードと撮影モードとを切り替える第２のモードスイッチ３２４とが設けられる。第１のモードスイッチ３２２は、モードダイアル３１０側から垂直方向に押圧可能である。第１のモードスイッチ３２２はスイッチ部分にカム機構を有し、該カム機構がモードダイアル３１０から受ける略水平方向の押圧力を、略垂直方向の押圧力に変える。第２のモードスイッチ３２４は、略水平方向に押圧可能であり、モードダイアル３１０から略水平方向の押圧力を受けてスイッチング動作する。
【００８８】
（ａ）においては、第１のダイアル突出部３１２が第１のモードスイッチ３２２を押圧しないので、電源はＯＦＦとなる。また、第２のダイアル突出部３１４は第２のモードスイッチ３２４を押圧せず、再生モードがデフォルトとして保たれる。
【００８９】
（ｂ）において、第１のダイアル突出部３１２が第１のモードスイッチ３２２のカム機構に対し、略水平方向の押圧力を加える。カム機構が略水平方向の押圧力を略垂直方向の押圧力に変えるので、第１のモードスイッチ３２２がＯＮになり、電源が入る。第２のダイアル突出部３１４は、依然として第２のモードスイッチ３２４を押圧しないので、再生モードが設定される。
【００９０】
（ｃ）において、第１のダイアル突出部３１２は、第１のモードスイッチ３２２への押圧を保持している。この状態のまま、第２のダイアル突出部３１４は、第２のモードスイッチ３２４を押圧する。これにより、再生モードから撮影モードへ切り替わる。
【００９１】
このように、本実施形態においては、２つのスイッチにより３つのモードを設定することができる。したがって、スイッチを３つ用意する場合に比べて部品点数を少なく押さえることができる。また、モードスイッチ基板３２０をモードダイアル３１０に垂直な方向に設けることができる。したがって、たとえば筐体の背面側に沿って取り付けることもでき、スペースを節約することができる。
【００９２】
図１９は、十字キーの外観を示す図である。本実施形態におけるデジタルカメラ１０はズーム機構を備える。十字キーは、たとえば操作画面上における方向選択としてユーザが上下左右を指示するときに押下するボタンである。この十字キーは、上下スイッチ３３０と左スイッチ３３２と右スイッチ３３４とから構成される。十字キーは背面側筐体３００の外面に設けられる。
【００９３】
上下スイッチ３３０は、ズーム機構によってズームインおよびズームアウトの操作をするためにユーザが上下に倒すことができるボタンである。たとえば、ユーザが上方向に上下スイッチ３３０を倒したときにズームインが行われる。また、ユーザが下方向に上下スイッチ３３０を倒したときにズームアウトが行われる。
【００９４】
上下スイッチ３３０は、その可倒方向が略上下方向に保たれている。ユーザは誤って斜め方向に倒すことがない。したがって、押し損じがなく、安定したズーム動作を行うことができる。
【００９５】
左スイッチ３３２および右スイッチ３３４は、それぞれ上下スイッチ３３０の左右に設けられる。上下スイッチ３３０、左スイッチ３３２、右スイッチ３３４は独立のボタンである。これらのボタンが組み合わさることにより十字キーが形成される。上下スイッチ３３０は、略横長形状を有するので、左スイッチ３３２および右スイッチ３３４よりも目立つ。特に、上スイッチと下スイッチとが一体化しているので、ユーザは上下スイッチ３３０がズームキーであることを直感的に知ることができる。また、左スイッチ３３２および右スイッチ３３４の上下幅を上下スイッチ３３０の上下幅より小さくしてもよい。これにより、上下スイッチ３３０をさらに目立たせることができる。
【００９６】
また、上下スイッチ３３０は略横長形状を有するので、その左右に左スイッチ３３２および右スイッチ３３４を配置しても、上下方向のスペースをとらない。したがって、背面側筐体３００の狭いスペースに容易に十字キーを配置することができ、カメラ全体をコンパクト化しやすい。
【００９７】
図２０は、電池カバー３４０の形状および動作を示す図である。筐体の外面には、外部から電池を出し入れする電池収容開口部４２０が設けられ、該電池収容開口部４２０を電池カバー３４０が遮蔽する。電池カバー３４０は、前面側筐体２００および背面側筐体３００のいずれか一方が単独で保持可能である。本実施形態においては、前面側筐体２００が単独で電池カバー３４０をする。
【００９８】
（ａ）は、電池カバー３４０の開き方向を示す図である。図に示される通り、電池カバー３４０はカメラの略上下方向に開閉する。（ｂ）は、電池カバー３４０のスライド方向を示す。電池収容開口部４２０に電池を収容し、電池カバー３４０を閉じたあと、図に示される方向に電池カバー３４０をスライドさせる。（ｃ）の状態になると、電池カバー３４０は前面側筐体２００に係合し、ロックされる。
【００９９】
電池カバー３４０の裏面における開閉端近傍には、前面側筐体２００に係止する第１〜第４の電池カバー用係止凸部３４１、３４３、３４５、３４７が設けられる。前面側筐体２００の底面における電池収容開口部４２０の周辺には、第１〜第４の電池カバー用係止凹部３４２、３４４、３４６、３４８が設けられる。第１の電池カバー用係止凸部３４１は第１の電池カバー用係止凹部３４２に係止する。第２の電池カバー用係止凸部３４３は第２の電池カバー用係止凹部３４４に係止する。第３の電池カバー用係止凸部３４５は第３の電池カバー用係止凹部３４６に係止する。第４の電池カバー用係止凸部３４７は第４の電池カバー用係止凹部３４８に係止する。
【０１００】
第１〜第４の電池カバー用係止凸部３４１、３４３、３４５、３４７は、それぞれカメラの右から左に向かって突出する。したがって、電池カバー３４０をカメラの右から左へスライドさせることにより、各係合凸部が各係合凹部に係合する。一方、電池カバー３４０の開き方向は、カメラの略上下方向である。すなわち、第１〜第４の電池カバー用係止凸部３４１、３４３、３４５、３４７の突出方向が、開き方向に対して略垂直に形成されているので、勝手に開きにくい構造となっている。しかも、電池カバー３４０の開閉端近傍に第１の電池カバー用係止凸部３４１が設けられているので、電池カバー３４０の開閉端にすき間が生じにくい。
【０１０１】
また、電池カバー３４０は、前面側筐体２００が単独で保持可能である。したがって、カメラの組み立て工程において、背面側筐体３００と電池カバー３４０とをそれぞれ製造したあと、ひとまとめにして取り扱うことができる。これにより、部品を運搬したり梱包する場合にも一つの部品として扱うことができるので簡便である。
【０１０２】
図２１は、メモリカードカバー３５０の形状および動作を示す図である。筐体外面には、メモリカードを出し入れするメモリカード収容開口部４３０と、該メモリカード収容開口部４３０を開閉するメモリカードカバー３５０とが設けられる。本実施形態においては、メモリカード収容開口部４３０が筐体の右側面に設けられ、メモリカードカバー３５０が筐体の右側面から背面にかけて形成されている。
【０１０３】
（ａ）は、メモリカードカバー３５０を閉めた状態を示す。（ｂ）は、メモリカードカバー３５０を開いた状態を示す。図に示される通り、メモリカードカバー３５０は、筐体の背面から側面にかけて覆うように断面略Ｌ字状に形成される。メモリカードカバー３５０は、背面側筐体３００の背面にヒンジ４４０を有する。メモリカードカバー３５０は、ヒンジ４４０を軸にして筐体の略前後方向に開閉する。
【０１０４】
メモリカードカバー３５０の裏面における開閉端近傍には、背面側筐体３００に係止する第１のメモリカードカバー用係止凸部３５１および第２のメモリカードカバー用係止凸部３５３が設けられる。背面側筐体３００の右側面におけるメモリカード収容開口部４３０近傍には、第１のメモリカードカバー用係止凹部３５２および第２のメモリカードカバー用係止凹部３５４が設けられる。第１のメモリカードカバー用係止凸部３５１は第１のメモリカードカバー用係止凹部３５２に係止する。第２のメモリカードカバー用係止凸部３５３は第２のメモリカードカバー用係止凹部３５４に係止する。
【０１０５】
メモリカードカバー３５０の裏面には、第２のメモリカードカバー用係止凸部３５３の近傍にメモリカードカバー開閉検出用凸部３５５がさらに設けられる。背面側筐体３００の右側面における第２のメモリカードカバー用係止凹部３５４近傍には、メモリカードカバー開閉検出用凹部３５６がさらに設けられる。メモリカードカバー開閉検出用凸部３５５はメモリカードカバー開閉検出用凹部３５６に係止する。メモリカードカバー開閉検出用凹部３５６は、メモリカードカバー開閉検出用凸部３５５が係止しているかどうかによって、メモリカードカバー３５０が開いているかどうかを検知する。メモリカードカバー開閉検出用凸部３５５をメモリカードカバー３５０の端部に設けることにより、メモリカードの出し入れのときにユーザが誤って手で押してしまうのを防いでいる。
【０１０６】
図２２は、メモリカードカバー３５０の開閉方向を示す図である。（ａ）は、メモリカードカバー３５０の開閉方向を示す。図に示される通り、メモリカードカバー３５０は、カメラの略前後方向に開閉する。これは、メモリカードカバー３５０が筐体背面から側面にかけて覆う略Ｌ字形状を有し、ヒンジ４４０の位置が筐体の側面よりも遠い背面側に位置するからである。
【０１０７】
（ｂ）は、第１のメモリカードカバー用係止凸部３５１の突出方向を示す。メモリカードカバー３５０が閉まる直前の状態が示されている。第１のメモリカードカバー用係止凸部３５１は、筐体の側面に対し略垂直に突出する。すなわち、突出方向が開閉方向に対しても略垂直となる。したがって、第１のメモリカードカバー用係止凹部３５２への第１のメモリカードカバー用係止凸部３５１の引っ掛かりが強い。これにより、誤ってメモリカードカバー３５０が開いてしまうことを防止している。
【０１０８】
図２３は、内部ユニットの構成を示す図である。本実施形態におけるデジタルカメラ１０は、画像の撮影動作を処理する撮像回路ユニット３６０と、該撮像回路ユニット３６０に電力提供する電源回路ユニット３６２と、電池を保持する電池収容部３９０とを備える。そして、撮像回路ユニット３６０と電源回路ユニット３６２と電池収容部３９０とを重ね合わせて互いに係合させることにより、予め一体の内部ユニットを形成させることができる。たとえば、撮影回路ユニット３６０と電池収容部３９０とで電源回路ユニット３６２を挟んだ状態でまとめてネジ止めして内部ユニットを形成させてもよい。
【０１０９】
図２４は、内部ユニットと筐体との組み立てを示す図である。デジタルカメラ１０の組み立て作業において、内部ユニットをひとまとめに筐体へ収めることができる。
【０１１０】
以上のように、本実施形態においては、電池ホルダ３９１とコンデンサホルダ３９３とを一体の部材で形成させるので、部品点数を減らすことができる。
【０１１１】
また、本実施形態においては、電池収容部３９０には放熱孔３９２が設けられているので、電池から発せられる熱を放出しやすくすることができる。また、放熱孔３９２は、複数の電池のうち中央に位置する電池近傍に設けられるので、最も熱のこもりやすい部位から放熱することができる。さらに、フレーム３９８が電池収容部３９０の裏側から放熱孔３９２を介して電池に近接するので、効率良く放熱することができる。
【０１１２】
また、本実施形態においては、電池カバー３４０は、前面側筐体２００が単独で保持可能である。したがって、カメラの組み立て工程において、背面側筐体３００と電池カバー３４０とをそれぞれ製造したあと、ひとまとめにして取り扱うことができる。これにより、部品を運搬したり梱包する場合にも一つの部品として扱うことができるので簡便である。
【０１１３】
また、本実施形態においては、第１〜第４の電池カバー用係止凸部３４１、３４３、３４５、３４７の突出方向が、開き方向に対して略垂直に形成されているので、勝手に開きにくい構造となっている。しかも、電池カバー３４０の開閉端近傍に第１の電池カバー用係止凸部３４１が設けられているので、電池カバー３４０の開閉端にすき間が生じにくい。
【０１１４】
また、本実施形態においては、メモリカードカバー開閉検出用凸部３５５をメモリカードカバー３５０の端部に設けることにより、メモリカードの出し入れのときにユーザが誤って手で押してしまうのを防いでいる。
【０１１５】
また、本実施形態においては、第１のメモリカードカバー用係止凸部３５１の突出方向が開閉方向に対して略垂直となる。したがって、第１のメモリカードカバー用係止凹部３５２への第１のメモリカードカバー用係止凸部３５１の引っ掛かりが強い。これにより、誤ってメモリカードカバー３５０が開いてしまうことを防止している。
【０１１６】
また、本実施形態においては、撮像回路ユニット３６０と電源回路ユニット３６２と電池収容部３９０とを重ね合わせて互いに係合させることにより、予め一体の内部ユニットを形成させることができる。そして、デジタルカメラ１０の組み立て作業において、内部ユニットをひとまとめに筐体へ収めることができる。
【０１１７】
以上、実施の形態を説明したが、本発明の技術的な範囲はこれらの記載には限定されない。これらの実施の形態に多様な変更または改良を加えうることは当業者には理解されるところである。
【０１１８】
第１の変形例として、前面側筐体２００ではなく背面側筐体３００が単独で電池カバー３４０を保持可能な構成としてもよい。
【０１１９】
第２の変形例として、電池収容部３９０の略中央以外の部位に放熱孔３９２を設けてもよく、また、各電池のすべての位置に放熱孔３９２をそれぞれ設けてもよい。
【０１２０】
第３の変更例として、本発明の撮像装置をデジタルカメラではなく銀塩カメラとして実現してもよい。
【０１２１】
上記の説明から明らかなように、本発明によれば、扱いが容易なカメラを提供することができる。
【図面の簡単な説明】
【０１２２】
【図１】デジタルカメラ１０の構成を示す図である。
【図２】レンズカバー２０２の開閉動作を示すデジタルカメラ１０の正面図である。
【図３】撮影時のユーザの指の位置を示すデジタルカメラ１０の正面図である。
【図４】レンズカバー２０２を開閉するユーザの指の動きを示すデジタルカメラ１０の外観図である。
【図５】レンズカバー２０２の軌道を示す図である。
【図６】レンズカバー２０２と前面側筐体２００との間に生じる間隙を示す図である。
【図７】前面側筐体２００の内部を示す図である。
【図８】ガイド突出部２２０の形状を示す図である。
【図９】ガイド突出部２２０を成型する方法の第１段階を示す図である。
【図１０】ガイド突出部２２０を成型する方法の第２段階を示す図である。
【図１１】レバー２６４の動作を示す図である。
【図１２】アーム２６２の動作を示す図である。
【図１３】前面側内枠部２６０の形状を示す図である。
【図１４】レンズカバー２０２と前面側筐体２００の断面図である。
【図１５】電池収容部３９０の形状を示す図である。
【図１６】モードダイアル３１０の外観を示す図である。
【図１７】モードダイアル３１０の回動動作を示す図である。
【図１８】モードダイアル３１０によるスイッチング動作を示す図である。
【図１９】十字キーの外観を示す図である。
【図２０】電池カバー３４０の形状および動作を示す図である。
【図２１】メモリカードカバー３５０の形状および動作を示す図である。
【図２２】メモリカードカバー３５０の開閉方向を示す図である。
【図２３】内部ユニットの構成を示す図である。
【図２４】内部ユニットと筐体との組み立てを示す図である。
【符号の説明】
【０１２３】
１０  デジタルカメラ、２０  撮像ユニット、２２  撮影レンズ、２００  前面側筐体、２０２  レンズカバー、２０４  上側レール溝部、２０６  下側レール溝部、２０８  レンズカバー突起部、２２０  ガイド突出部、２２２  ガイド用係合凸部、２２３  ガイド用係合凹部、２２４  下側レール用係合凸部、２２６  上側レール用係合凸部、２３０  アーム係合溝部、２３２  アーム駆動部、２４０  レンズ開口部、２４２  ガイド溝部、２６０  前面側内枠部、２６２  アーム、２６４  レバー、２６６  カバー開閉検知スイッチ、２６８  カバー開閉検知基板、２７０  ガイド側係合部、２７２  レバー側係合部、２８０  第１の係止凸部、２８１  第１の係止凹部、２８２  第２の係止凸部、２８３  第２の係止凹部、３００  背面側筐体、３１０  モードダイアル、３１２  第１のダイアル突出部、３１４  第２のダイアル突出部、３２０  モードスイッチ基板、３２２  第１のモードスイッチ、３２４  第２のモードスイッチ、３３０  上下スイッチ、３３２  左スイッチ、３３４  右スイッチ、３４０  電池カバー、３４１  第１の電池カバー用係止凸部、３４２  第１の電池カバー用係止凹部、３５０  メモリカードカバー、３５１  第１のメモリカードカバー用係止凸部、３５２  第１のメモリカードカバー用係止凹部、３５３  第２のメモリカードカバー用係止凸部、３５４  第２のメモリカードカバー用係止凹部、３５５  メモリカードカバー開閉検出用凸部、３５６  メモリカードカバー開閉検出用凹部、３６０  撮影回路ユニット、３６２  電源回路ユニット、３９０  電池収容部、３９１  電池ホルダ、３９２  放熱孔、３９３  コンデンサホルダ、３９８  フレーム、４００  シャッターボタン、４１０  電池ホルダ部、４１２  電池ホルダ部、４１４  電池ホルダ部、４２０  電池収容開口部、４３０  メモリカード収容開口部
【図１】
2008271566.tif 000003
【図２】
2008271566.tif 000004
【図３】
2008271566.tif 000005
【図４】
2008271566.tif 000006
【図５】
2008271566.tif 000007
【図６】
2008271566.tif 000008
【図７】
2008271566.tif 000009
【図８】
2008271566.tif 000010
【図９】
2008271566.tif 000011
【図１０】
2008271566.tif 000012
【図１１】
2008271566.tif 000013
【図１２】
2008271566.tif 000014
【図１３】
2008271566.tif 000015
【図１４】
2008271566.tif 000016
【図１５】
2008271566.tif 000017
【図１６】
2008271566.tif 000018
【図１７】
2008271566.tif 000019
【図１８】
2008271566.tif 000020
【図１９】
2008271566.tif 000021
【図２０】
2008271566.tif 000022
【図２１】
2008271566.tif 000023
【図２２】
2008271566.tif 000024
【図２３】
2008271566.tif 000025
【図２４】
2008271566.tif 000026